(57)【特許請求の範囲】
【請求項１】
無線データ伝送方法であって、
ローカル移動端末は、情報を送信する必要がある場合、自身に隣接する中間移動端末に短距離伝送システムの状態照会情報を送信して、フィードバックされた状態がアイドルである短距離伝送システムのネットワークエントリの証明のサインの数に応じて、送信されるべき情報をデータパケットに分割するステップと、
各データパケットを、ローカル移動端末が所属するローカル基地局に送信し、フィードバック状態がアイドルである短距離伝送システムのネットワークエントリの証明のサインに対応する中間移動端末を介して前記ローカル基地局に転送するステップと、
ローカル基地局は、受信した同一の情報に所属するデータパケットを統合して、統合されたデータを、ターゲット移動端末が所属するターゲット基地局に送信するステップと、
統合データを受信したターゲット基地局は、ターゲット移動端末に隣接する中間移動端末に短距離伝送システムの状態照会情報を送信して、フィードバックされた状態がアイドルである短距離伝送システムのネットワークエントリの証明のサインの数に応じて、統合されたデータをデータパケットに分割するステップと、
各データパケットを、ターゲット移動端末に送信し、フィードバック状態がアイドルである短距離伝送システムのネットワークエントリの証明のサインに対応する中間移動端末を介して前記ターゲット移動端末に転送するステップと、
ターゲット移動端末は、受信した同一の情報に所属するデータパケットを統合して、ローカル移動端末から送信された情報を得るステップとを含む
ことを特徴とする、前記無線データ伝送方法。
【請求項２】
送信されるべき情報をデータパケットに分割する前記ステップの前に、さらに、短距離伝送システムのネットワークエントリの証明のサインに応じて、分割されるべきデータパケットのそれぞれのサイズを確定するステップを含み、
それに応じて、送信されるべき情報をデータパケットに分割する前記ステップは、確定された各データパケットのサイズに応じて送信されるべき情報を複数のデータパケットに分割することである
ことを特徴とする、請求項１に記載の無線データ伝送方法。
【請求項３】
短距離伝送システムのネットワークエントリの証明のサインに応じて、分割されるべきデータパケットのそれぞれのサイズを確定する前記ステップは、
送信されるべき情報のデータ量と、中間移動端末からフィードバックされた状態がアイドルである短距離伝送システムのネットワークエントリの証明のサインの数と、各短距離伝送システムのネットワークエントリの証明のサインに対応する短距離伝送システムに応用される伝送モードの伝送速度とに応じて、分割されるべきデータパケットのそれぞれのサイズを確定することである
ことを特徴とする、請求項２に記載の無線データ伝送方法。
【請求項４】
送信されるべき情報をデータパケットに分割する前記ステップの後、さらに、
前記データパケットに番号を付けて、各データパケットにそれぞれの番号を持たせるステップを含む
ことを特徴とする、請求項１に記載の無線データ伝送方法。
【請求項５】
中間移動端末を介して、受信したデータパケットを前記ローカル基地局に送信する前記ステップの後、さらに、
各中間移動端末が、それぞれローカル移動端末に当該データパケットの番号が含まれるフィードバック情報を送信するステップと、
ローカル移動端末が、受信したフィードバック情報に応じてデータパケットの伝送が失敗するかどうかを判断して、データパケットの伝送が失敗した場合、ローカル移動端末が自身に隣接する中間移動端末に短距離伝送システムの状態照会情報を送信するステップと、
伝送が失敗したデータパケットを、状態がアイドルである短距離伝送システムのネットワークエントリの証明のサインに対応する中間移動端末に送信するステップとを含む
ことを特徴とする、請求項４に記載の無線データ伝送方法。
【請求項６】
中間移動端末の短距離伝送システムからフィードバックされた、状態がアイドルである短距離伝送システムのネットワークエントリの証明のサインの数に応じて、送信されるべき情報をデータパケットに分割する前記ステップは、
中間移動端末の短距離伝送システムからフィードバックされた、状態がアイドルである短距離伝送システムのネットワークエントリの証明のサインの数に応じて、状態がアイドルである短距離伝送システムのネットワークエントリの証明のサインに対応する短距離伝送システムの一部を使用可能な短距離伝送システムとし、状態がアイドルである残りの短距離伝送システムを予備短距離伝送システムとし、使用可能な短距離伝送システムの数に応じて、送信されるべき情報を対応する数のデータパケットに分割することである
ことを特徴とする、請求項４に記載の無線データ伝送方法。
【請求項７】
中間移動端末を介して、受信したデータパケットを前記ローカル基地局に送信する前記ステップの後、さらに、
各中間移動端末が、それぞれローカル移動端末に当該データパケットの番号が含まれるフィードバック情報を送信するステップと、
ローカル移動端末が、受信したフィードバック情報に応じて、データパケットの伝送が失敗するかどうかを判断して、データパケットの伝送が失敗した場合、ローカル移動端末が、伝送が失敗したデータパケットを予備短距離伝送システムに送信するステップとを含む
ことを特徴とする、請求項６に記載の無線データ伝送方法。
【請求項８】
移動端末であって、
情報を送信する必要がある場合、自身が所属する移動端末に隣接する中間移動端末に短距離伝送システムの状態照会情報を送信することに用いられる第１状態照会情報送信ユニットと、
中間移動端末の短距離伝送システムからフィードバックされた、状態がアイドルである短距離伝送システムのネットワークエントリの証明のサインの数に応じて、送信されるべき情報をデータパケットに分割することに用いられる第１データパケット分割ユニットと、
各データパケットを、ローカル移動端末が所属するローカル基地局に送信し、フィードバック状態がアイドルである短距離伝送システムのネットワークエントリの証明のサインに対応する中間移動端末を介してローカル基地局に転送することに用いられる第１データパケット送信ユニットとを備える
ことを特徴とする、前記移動端末。
【請求項９】
短距離伝送システムのネットワークエントリの証明のサインに応じて分割されるべきデータパケットのそれぞれのサイズを確定することに用いられるデータパケットサイズ確定ユニットをさらに備え、
前記第1データパケット分割ユニットは、さらに、確定された各データパケットのそれぞれのサイズに応じて送信されるべき情報を複数のデータパケットに分割することに用いられる
ことを特徴とする、請求項８に記載の移動端末。
【請求項１０】
前記データパケットサイズ確定ユニットは、具体的に、送信されるべき情報のデータ量と、中間移動端末からフィードバックされた状態がアイドルである短距離伝送システムのネットワークエントリの証明のサインの数と、各短距離伝送システムのネットワークエントリの証明のサインに対応する短距離伝送システムに応用される伝送モードの伝送速度とに応じて、分割されるべきデータパケットのそれぞれのサイズを確定することに用いられる
ことを特徴とする、請求項９に記載の移動端末。
【請求項１１】
分割されたデータパケットに番号を付けて、各データパケットにそれぞれの番号を持たせることに用いられるデータパケット番号付けユニットをさらに備える
ことを特徴とする、請求項８に記載の移動端末。
【請求項１２】
受信したフィードバック情報に応じてデータパケットの伝送が失敗するかどうかを判断することに用いられる伝送失敗判断ユニットをさらに備え、
前記第１状態照会情報送信ユニットは、さらに、データパケットの伝送が失敗した場合、自身が所属する移動端末に隣接する中間移動端末に短距離伝送システムの状態照会情報を送信することに用いられ、
前記第１データパケット送信ユニットは、さらに、伝送が失敗したデータパケットを、状態がアイドルである短距離伝送システムのネットワークエントリの証明のサインに対応する中間移動端末に送信することに用いられる
ことを特徴とする、請求項１１に記載の移動端末。
【請求項１３】
前記第１データパケット分割ユニットは、さらに、中間移動端末の短距離伝送システムからフィードバックされた、状態がアイドルである短距離伝送システムのネットワークエントリの証明のサインの数に応じて、状態がアイドルである短距離伝送システムのネットワークエントリの証明のサインに対応する短距離伝送システムの一部を使用可能な短距離伝送システムとし、状態がアイドルである残りの短距離伝送システムを予備短距離伝送システムとし、使用可能な短距離伝送システムの数に応じて、送信されるべき情報を対応する数のデータパケットに分割することに用いられる
ことを特徴とする、請求項１２に記載の移動端末。
【請求項１４】
前記第１データパケット送信ユニットは、さらに、伝送が失敗したデータパケットを予備短距離伝送システムに送信することに用いられる
ことを特徴とする、請求項１３に記載の移動端末。
【請求項１５】
基地局であって、
他の基地局から送信された統合データを受信することに用いられるデータ受信ユニットと、
統合データを送信する必要がある場合、自身が所属する基地局に隣接する中間移動端末に短距離伝送システムの状態照会情報を送信することに用いられる第２状態照会情報送信ユニットと、
中間移動端末の短距離伝送システムからフィードバックされた、状態がアイドルである短距離伝送システムのネットワークエントリの証明のサインの数に応じて、送信されるべき情報をデータパケットに分割することに用いられる第２データパケット分割ユニットと、
各データパケットを、ターゲット移動端末に送信し、フィードバック状態がアイドルである短距離伝送システムのネットワークエントリの証明のサインに対応する中間移動端末を介してターゲット移動端末に転送することに用いられる第２データパケット送信ユニットとを備える
ことを特徴とする、前記基地局。
【請求項１６】
無線データ伝送システムであって、ローカル移動端末と、中間移動端末と、ローカル基地局と、ターゲット基地局と、ターゲット移動端末とを備え、
前記ローカル移動端末は、情報を送信する必要がある場合、自身に隣接する中間移動端末に短距離伝送システムの状態照会情報を送信して、フィードバックされた状態がアイドルである短距離伝送システムのネットワークエントリの証明のサインの数に応じて、送信されるべき情報をデータパケットに分割することと、各データパケットを、ローカル移動端末が所属するローカル基地局に送信し、フィードバック状態がアイドルである短距離伝送システムのネットワークエントリの証明のサインに対応する中間移動端末を介してローカル基地局に転送することに用いられ、
前記中間移動端末は、ローカル移動端末又はターゲット基地局から送信された短距離伝送システムの状態照会情報に応じて短距離伝送システムのネットワークエントリの証明のサインをフィードバックすることと、受信したデータパケットをローカル基地局又はターゲット移動端末に送信することに用いられ、
前記ローカル基地局は、受信した同一の情報に所属するデータパケットを統合して、統合されたデータを、ターゲット移動端末が所属するターゲット基地局に送信することに用いられ、
前記ターゲット基地局は、ローカル基地局から送信されてきた統合データを受信して、ターゲット移動端末に隣接する中間移動端末に短距離伝送システムの状態照会情報を送信して、フィードバックされた状態がアイドルである短距離伝送システムのネットワークエントリの証明のサインの数に応じて、統合されたデータをデータパケットに分割することと、各データパケットを、ターゲット移動端末に送信し、フィードバック状態がアイドルである短距離伝送システムのネットワークエントリの証明のサインに対応する中間移動端末を介してターゲット移動端末に転送することに用いられ、
前記ターゲット移動端末は、ターゲット基地局と中間移動端末とから送信された、同一の情報に所属するデータパケットを統合して、ローカル移動端末から送信された情報を得ることに用いられる
ことを特徴とする、前記無線データ伝送システム。
【発明の詳細な説明】
【技術分野】
【０００１】
本発明は、移動体通信分野におけるデータ伝送技術に関し、特に無線データ伝送方法、装置及びシステムに関する。
【背景技術】
【０００２】
現在、従来の通信システムにおいて、情報交換は、移動端末と基地局との間だけで行われている。つまり、移動端末は、それぞれ独立に自身が所属する基地局と通信するが、移動端末個体間の直接的な相互関係は存在しない。図１に示すように、具体的には、ローカル移動端末１又は移動端末２は、情報を、自身が所属するローカル基地局１に送信し、基地局１は、受信した情報を、ターゲット移動端末が所属するターゲット基地局、例えば基地局２に送信し、基地局２は、受信した情報を、ターゲット移動端末、例えば移動端末3又は移動端末４に送信することにより、ローカル移動端末とターゲット移動端末との間の通信を達成する。
【０００３】
関連する通信モードは、ワイドエリアネットワーク（ＷＡＮ）通信と呼ばれる。ローカル移動端末が伝送幹線だけで基地局と通信するので、ローカル移動端末からローカル基地局へ送信するデータ量が大きい時に、伝送速度が非常に遅くなり、伝送効率が低下してしまい、そして、ローカル移動端末とローカル基地局との間の伝送回線に故障が一旦発生すると、ローカル移動端末がデータを成功裏にローカル基地局に送信することができず、ユーザが正常に通信することが不可能となる。
【０００４】
さらに、移動端末により伝送されるべきデータ量がより大きくなる時には、基地局の容量拡張によりネットワーク収容能力を改善することで、データの伝送効率を向上させることしかできないが、基地局の容量拡張には大量の資金や材料が必要となり、そして、基地局の容量拡張には限界もある。
【０００５】
また、移動端末の短距離伝送システム、例えばＷｉ−Ｆｉ伝送システムとＢｌｕｅｔｏｏｔｈ（登録商標）伝送システムは、いずれも移動端末間の短距離通信を実行することができる。前記短距離通信は、ローカルエリアネットワーク(ＬＡＮ)通信である。しかし、このようなＬＡＮ通信は、ＷＡＮ通信と分離されているので、この二つの通信モードは、組み合わせて適用することができない。よって、常にアイドル状態にある移動端末の短距離伝送システムが十分に活用されず、移動端末の短距離通信リソースが無駄になってしまう。
【発明の概要】
【発明が解決しようとする課題】
【０００６】
これに鑑みて、本発明の主な目的は、移動端末の短距離通信リソースを十分に活用して、移動端末のデータ伝送効率を向上させることができる無線データ伝送方法、装置及びシステムを提供することにある。
【課題を解決するための手段】
【０００７】
上記目的を達成するために、本発明の技術的解決策は、以下のように実現される。
無線データ伝送方法であって、
ローカル移動端末は、情報を送信する必要がある場合、自身に隣接する中間移動端末に短距離伝送システムの状態照会情報を送信して、そしてフィードバックされた状態がアイドルであるネットワークエントリの証明のサインの数に応じて、送信されるべき情報をデータパケットに分割するステップと、
各データパケットを、ローカル移動端末が所属するローカル基地局に送信し、フィードバック状態がアイドルであるネットワークエントリの証明のサインに対応する中間移動端末を介して前記ローカル基地局に転送するステップと、
【０００８】
ローカル基地局が受信した同一の情報に所属するデータパケットを統合して、統合されたデータを、ターゲット移動端末が所属するターゲット基地局に送信するステップと、
統合データを受信したターゲット基地局が、ターゲット移動端末に隣接する中間移動端末に短距離伝送システムの状態照会情報を送信して、フィードバックされた状態がアイドルであるネットワークエントリの証明のサインの数に応じて、統合されたデータをデータパケットに分割するステップと、
各データパケットを、ターゲット移動端末に送信し、フィードバック状態がアイドルであるネットワークエントリの証明のサインに対応する中間移動端末を介して前記ターゲット移動端末に転送するステップと、
ターゲット移動端末が受信した同一の情報に所属するデータパケットを統合して、ローカル移動端末から送信された情報を得るステップとを含む、前記無線データ伝送方法。
【０００９】
送信されるべき情報をデータパケットに分割する前記ステップの前に、この方法は、さらに、ネットワークエントリの証明のサインに応じて、分割されるべきデータパケットのそれぞれのサイズを確定するステップをさらに含んでもよく、それに応じて、送信されるべき情報をデータパケットに分割する前記ステップは、確定された各データパケットのサイズに応じて送信されるべき情報を複数のデータパケットに分割することを含んでもよい。
【００１０】
ネットワークエントリの証明のサインに応じて、分割されるべきデータパケットのそれぞれのサイズを確定する前記ステップは、送信されるべき情報のデータ量と、中間移動端末からフィードバックされた状態がアイドルであるネットワークエントリの証明のサインの数と、各ネットワークエントリの証明のサインに対応する短距離伝送システムに応用される伝送モードの伝送速度とに応じて、分割されるべきデータパケットのそれぞれのサイズを確定することを含んでもよい。
【００１１】
送信されるべき情報をデータパケットに分割する前記ステップの後、この方法は、さらに、前記データパケットに番号を付けて、各データパケットにそれぞれの番号を持たせるステップを含んでもよい。
【００１２】
中間移動端末を介して受信したデータパケットを前記ローカル基地局に送信するステップの後、この方法は、さらに、各中間移動端末が、それぞれローカル移動端末に当該データパケットの番号が含まれるフィードバック情報を送信するステップと、ローカル移動端末が、受信したフィードバック情報に応じて、データパケットの伝送が失敗するかどうかを判断して、データパケットの伝送が失敗した場合、ローカル移動端末が自身に隣接する中間移動端末に短距離伝送システムの状態照会情報を送信するステップと、伝送が失敗したデータパケットを、状態がアイドルであるネットワークエントリの証明のサインに対応する中間移動端末に送信するステップとを含んでもよい。
【００１３】
中間移動端末の短距離伝送システムからフィードバックされた状態がアイドルであるネットワークエントリの証明のサインの数に応じて、送信されるべき情報をデータパケットに分割する前記ステップは、中間移動端末の短距離伝送システムからフィードバックされた、状態がアイドルであるネットワークエントリの証明のサインの数に応じて、状態がアイドルであるネットワークエントリの証明のサインに対応する短距離伝送システムの一部を使用可能な短距離伝送システムとし、状態がアイドルである残りの短距離伝送システムを予備短距離伝送システムとし、使用可能な短距離伝送システムの数に応じて、送信されるべき情報を対応する数のデータパケットに分割することを含んでもよい。
【００１４】
中間移動端末を介して受信したデータパケットを前記ローカル基地局に送信する前記ステップの後、この方法は、さらに、各中間移動端末が、それぞれローカル移動端末に当該データパケットの番号が含まれるフィードバック情報を送信するステップと、ローカル移動端末が、受信したフィードバック情報に応じてデータパケットの伝送が失敗するかどうかを判断して、データパケットの伝送が失敗した場合、ローカル移動端末が、伝送が失敗したデータパケットを予備短距離伝送システムに送信するステップとを含んでもよい。
【００１５】
移動端末であって、
情報を送信する必要がある場合、自身が所属する移動端末に隣接する中間移動端末に短距離伝送システムの状態照会情報を送信することに用いられる第１状態照会情報送信ユニットと、
中間移動端末の短距離伝送システムからフィードバックされた状態がアイドルであるネットワークエントリの証明のサインの数に応じて、送信されるべき情報をデータパケットに分割することに用いられる第１データパケット分割ユニットと、
各データパケットを、ローカル移動端末が所属するローカル基地局に送信し、フィードバック状態がアイドルであるネットワークエントリの証明のサインに対応する中間移動端末を介してローカル基地局に転送することに用いられる第１データパケット送信ユニットとを備える、前記移動端末。
【００１６】
前記移動端末は、ネットワークエントリの証明のサインに応じて分割されるべきデータパケットのそれぞれのサイズを確定することに用いられるデータパケットサイズ確定ユニットをさらに備えてもよく、
前記第1データパケット分割ユニットは、さらに、確定された各データパケットのそれぞれのサイズに応じて送信されるべき情報を複数のデータパケットに分割することに用いられてもよい。
【００１７】
前記データパケットサイズ確定ユニットは、具体的に、送信されるべき情報のデータ量と、中間移動端末からフィードバックされた状態がアイドルであるネットワークエントリの証明のサインの数と、各ネットワークエントリの証明のサインに対応する短距離伝送システムに応用される伝送モードの伝送速度とに応じて、分割されるべきデータパケットのそれぞれのサイズを確定することに用いられてもよい。
【００１８】
前記移動端末は、分割されたデータパケットに番号を付けて、各データパケットにそれぞれの番号を持たせることに用いられるデータパケット番号付けユニットをさらに備えてもよい。
【００１９】
前記移動端末は、受信したフィードバック情報に応じて、データパケットの伝送が失敗するかどうかを判断することに用いられる伝送失敗判断ユニットをさらに備えてもよい。
【００２０】
前記第１状態照会情報送信ユニットは、さらに、データパケットの伝送が失敗した場合、自身が所属する移動端末に隣接する中間移動端末に短距離伝送システムの状態照会情報を送信することに用いられてもよく、
前記第１データパケット送信ユニットは、さらに、伝送が失敗したデータパケットを、状態がアイドルであるネットワークエントリの証明のサインに対応する中間移動端末に送信することに用いられてもよい。
【００２１】
前記第１データパケット分割ユニットは、さらに、中間移動端末の短距離伝送システムからフィードバックされた状態がアイドルであるネットワークエントリの証明のサインの数に応じて、状態がアイドルであるネットワークエントリの証明のサインに対応する短距離伝送システムの一部を使用可能な短距離伝送システムとし、状態がアイドルである残りの短距離伝送システムを予備短距離伝送システムとし、使用可能な短距離伝送システムの数に応じて、送信されるべき情報を対応する数のデータパケットに分割することに用いられてもよい。
前記第１データパケット送信ユニットは、さらに、伝送が失敗したデータパケットを、予備短距離伝送システムに送信することに用いられてもよい。
【００２２】
移動端末であって、
受信した短距離伝送システムの状態照会情報に応じて、ネットワークエントリの証明のサインをフィードバックすることに用いられるネットワークエントリの証明のサインフィードバックユニットと、
受信したデータパケットをローカル基地局又はターゲット移動端末に送信することに用いられるデータパケット転送ユニットとを備える、前記移動端末。
【００２３】
移動端末であって、
データパケットを受信することに用いられるデータパケット受信ユニットと、
受信した同一の情報に所属するデータパケットを統合して、完全な情報を得ることに用いられるデータパケット統合ユニットとを備える、前記移動端末。
【００２４】
基地局であって、
受信した同一の情報に所属するデータパケットを統合することに用いられるデータパケット統合ユニットと、
統合されたデータを、ターゲット移動端末が所属するターゲット基地局に送信することに用いられる統合データ送信ユニットとを備える、前記基地局。
【００２５】
基地局であって、
他の基地局から送信された統合データを受信することに用いられるデータ受信ユニットと、
統合データを送信する必要がある場合、自身が所属する基地局に隣接する中間移動端末に短距離伝送システムの状態照会情報を送信することに用いられる第２状態照会情報送信ユニットと、
【００２６】
中間移動端末の短距離伝送システムからフィードバックされた状態がアイドルであるネットワークエントリの証明のサインの数に応じて、送信されるべき情報をデータパケットに分割することに用いられる第２データパケット分割ユニットと、
各データパケットを、ターゲット移動端末に送信し、フィードバック状態がアイドルであるネットワークエントリの証明のサインに対応する中間移動端末を介してターゲット移動端末に転送することに用いられる第２データパケット送信ユニットとを備える、前記基地局。
【００２７】
無線データ伝送システムであって、ローカル移動端末と、中間移動端末と、ローカル基地局と、ターゲット基地局と、ターゲット移動端末とを備え、
前記ローカル移動端末は、情報を送信する必要がある場合、自身に隣接する中間移動端末に短距離伝送システムの状態照会情報を送信して、フィードバックされた状態がアイドルであるネットワークエントリの証明のサインの数に応じて、送信されるべき情報をデータパケットに分割することと、各データパケットを、ローカル移動端末が所属するローカル基地局に送信し、フィードバック状態がアイドルであるネットワークエントリの証明のサインに対応する中間移動端末を介してローカル基地局に転送することに用いられ、
【００２８】
前記中間移動端末は、ローカル移動端末又はターゲット基地局から送信された短距離伝送システムの状態照会情報に応じてネットワークエントリの証明のサインをフィードバックすることと、受信したデータパケットをローカル基地局又はターゲット移動端末に送信することに用いられ、
前記ローカル基地局は、受信した同一の情報に所属するデータパケットを統合して、統合されたデータを、ターゲット移動端末が所属するターゲット基地局に送信することに用いられ、
【００２９】
前記ターゲット基地局は、ローカル基地局から送信されてきた統合データを受信して、ターゲット移動端末に隣接する中間移動端末に短距離伝送システムの状態照会情報を送信して、フィードバックされた状態がアイドルであるネットワークエントリの証明のサインの数に応じて、統合されたデータをデータパケットに分割することと、各データパケットを、ターゲット移動端末に送信し、フィードバック状態がアイドルであるネットワークエントリの証明のサインに対応する中間移動端末を介してターゲット移動端末に転送することに用いられ、
前記ターゲット移動端末は、ターゲット基地局と中間移動端末とから送信された、同一の情報に所属するデータパケットを統合して、ローカル移動端末から送信された情報を得ることに用いられる、前記無線データ伝送システム。
【００３０】
以上より、本発明において、ローカル移動端末は、基地局と情報を交換することができるだけでなく、移動端末の短距離伝送システムを利用して他の移動端末と情報を交換することもでき、ＬＡＮ通信とＷＡＮ通信とを組み合わせて、ＬＡＮとＷＡＮとを介して同時にデータを伝送し、ターゲット移動端末は、ＬＡＮ通信とＷＡＮ通信との二つのルートでデータを受信して送信できることにより、データのマルチパス無線伝送を実現して、ネットワーク負荷を大幅に軽減させてデータの伝送効率を向上させることもできる。
【図面の簡単な説明】
【００３１】
【図１】従来の無線データ伝送システムの構成の模式図である。
【図２】本発明に係る無線データ伝送システムの構成の模式図である。
【図３】本発明に係る移動端末の第一の実施例の構成の模式図である。
【図４】本発明に係る移動端末の第二の実施例の構成の模式図である。
【図５】本発明に係る基地局の構成の模式図である。
【図６】本発明に係る無線データ伝送方法の第一の実施例の流れの模式図である。
【発明を実施するための形態】
【００３２】
本発明は、無線データ伝送システムを開示する。図２に示すように、このシステムは、ローカル移動端末と、中間移動端末と、ターゲット移動端末と、ローカル基地局と、ターゲット基地局とを備える。
【００３３】
前記ローカル移動端末は、情報を送信する必要がある場合、自身に隣接する中間移動端末に短距離伝送システムの状態照会情報を送信することと、中間移動端末の短距離伝送システムからフィードバックされた、状態がアイドルであるネットワークエントリの証明のサインの数に応じて、送信されるべき情報を複数のデータパケットに分割することと、各データパケットを、ローカル移動端末が所属するローカル基地局とフィードバック状態がアイドルであるネットワークエントリの証明のサインに対応する中間移動端末とにそれぞれ送信することに用いられる。
【００３４】
前記中間移動端末は、ローカル移動端末又はターゲット基地局から送信された短距離伝送システムの状態照会情報に応じてネットワークエントリの証明のサインをフィードバックすることと、受信したデータパケットをローカル基地局又はターゲット移動端末に送信することに用いられる。
【００３５】
前記ターゲット移動端末は、ターゲット基地局と中間移動端末とから送信された、同一の情報に所属するデータパケットを統合して、ローカル移動端末から送信された情報を得ることに用いられる。
【００３６】
前記ローカル基地局は、受信した同一の情報に所属するデータパケットを統合して、統合されたデータを、ターゲット移動端末が所属するターゲット基地局に送信することに用いられる。
【００３７】
前記ターゲット基地局は、ローカル基地局から送信された統合データを受信して、ターゲット移動端末に隣接する中間移動端末に短距離伝送システムの状態照会情報を送信することと、中間移動端末からフィードバックされた、状態がアイドルであるネットワークエントリの証明のサインの数に応じて、統合されたデータを複数のデータパケットに分割することと、各データパケットをターゲット移動端末とフィードバック状態がアイドルであるネットワークエントリの証明のサインに対応する中間移動端末とにそれぞれ送信することに用いられる。
【００３８】
本発明は、移動端末を開示する。図３に示すように、この移動端末は、情報を送信するローカル移動端末であり、この移動端末は、第１状態照会情報送信ユニットと、第１データパケット分割ユニットと、第１データパケット送信ユニットとを備える。
【００３９】
前記第１状態照会情報送信ユニットは、情報を送信する必要がある場合、自身が所属する移動端末に隣接する中間移動端末に短距離伝送システムの状態照会情報を送信することに用いられる。
【００４０】
前記第１データパケット分割ユニットは、中間移動端末の短距離伝送システムからフィードバックされた、状態がアイドルであるネットワークエントリの証明のサインの数に応じて、送信されるべき情報を複数のデータパケットに分割することに用いられる。
【００４１】
前記第１データパケット送信ユニットは、各データパケットを、ローカル移動端末が所属するローカル基地局とフィードバック状態がアイドルであるネットワークエントリの証明のサインに対応する中間移動端末とにそれぞれ送信することに用いられる。
【００４２】
任意選択で、図３に示すように、前記移動端末は、さらに、ネットワークエントリの証明のサインに応じて分割されるべきデータパケットのそれぞれのサイズを確定することに用いられるデータパケットサイズ確定ユニットを備える。
【００４３】
前記第1データパケット分割ユニットは、さらに、確定されたデータパケットのそれぞれのサイズに応じて送信されるべき情報を複数のデータパケットに分割することに用いられる。
【００４４】
任意選択で、前記データパケットサイズ確定ユニットは、具体的に、送信されるべき情報のデータ量と、中間移動端末からフィードバックされた状態がアイドルであるネットワークエントリの証明のサインの数と、各ネットワークエントリの証明のサインに対応する短距離伝送システムに応用される伝送モードの伝送速度とに応じて、分割されるべきデータパケットのそれぞれのサイズを確定することに用いられる。
【００４５】
任意選択で、図４に示すように、前記移動端末は、さらに、分割されたデータパケットに番号を付けて、各データパケットにそれぞれの番号を持たせることに用いられるデータパケット番号付けユニットを備える。
【００４６】
任意選択で、前記移動端末は、さらに、受信したフィードバック情報に応じて、データパケットの伝送が失敗するかどうかを判断することに用いられる伝送失敗判断ユニットを備える。
【００４７】
前記第１状態照会情報送信ユニットは、さらに、データパケットの伝送が失敗した場合、自身が所属する移動端末に隣接する中間移動端末に短距離伝送システムの状態照会情報を送信することに用いられる。
【００４８】
前記第１データパケット送信ユニットは、伝送が失敗したデータパケットを、状態がアイドルであるネットワークエントリの証明のサインに対応する中間移動端末に送信することに用いられる。
【００４９】
任意選択で、前記第１データパケット分割ユニットは、さらに、中間移動端末の短距離伝送システムからフィードバックされた、状態がアイドルであるネットワークエントリの証明のサインの数に応じて、状態がアイドルであるネットワークエントリの証明のサインに対応する短距離伝送システムの一部を使用可能な短距離伝送システムとし、状態がアイドルである残りの短距離伝送システムを予備短距離伝送システムとし、使用可能な短距離伝送システムの数に応じて、送信されるべき情報を対応する数のデータパケットに分割することに用いられる。
【００５０】
任意選択で、前記第１データパケット送信ユニットは、さらに、伝送が失敗したデータパケットを予備短距離伝送システムに送信することに用いられる。
【００５１】
本発明は、また、移動端末を開示する。この移動端末は、受信したデータパケットを転送する中間移動端末であり、この移動端末は、ネットワークエントリの証明のサインフィードバックユニットとデータパケット転送ユニットとを備える。
【００５２】
前記ネットワークエントリの証明のサインフィードバックユニットは、受信した短距離伝送システムの状態照会情報に応じて、ネットワークエントリの証明のサインをフィードバックすることに用いられる。
前記データパケット転送ユニットは、受信したデータパケットをローカル基地局又はターゲット移動端末に送信することに用いられる。
【００５３】
本発明は、さらに、移動端末を開示する。この移動端末は、ローカル移動端末から送信された情報を受信するターゲット移動端末であり、この移動端末は、データパケット受信ユニットとデータパケット統合ユニットとを備える。
【００５４】
前記データパケット受信ユニットは、データパケットを受信することに用いられる。
前記データパケット統合ユニットは、受信した同一の情報に所属するデータパケットを統合して、完全な情報を得ることに用いられる。
【００５５】
上述した移動端末は、短距離伝送システムを備える。前記短距離伝送システムは、Ｂｌｕｅｔｏｏｔｈ(登録商標)伝送システム、Ｗｉ−Ｆｉ伝送システムとすることができるが、これらに限定されないことは言うまでもない。移動端末は、Ｂｌｕｅｔｏｏｔｈ（登録商標）伝送システム又はＷｉ−Ｆｉ伝送システムを備えることができ、Ｂｌｕｅｔｏｏｔｈ（登録商標）伝送システムとＷｉ−Ｆｉ伝送システムを同時に備えることもできる。
【００５６】
短距離伝送システムのそれぞれは、ネットワークエントリの証明のサインに一つずつ対応する。つまり、移動端末がＢｌｕｅｔｏｏｔｈ（登録商標）伝送システムとＷｉ−Ｆｉ伝送システムを同時に備えれば、この移動端末が二つのネットワークエントリの証明のサインを有する。それに応じて、この移動端末からフィードバックされるネットワークエントリの証明のサインは二つある。
【００５７】
前記短距離伝送システムは、無線周波数送受信モジュールと、無線周波数増幅モジュールと、フィルタモジュールと、マッチングモジュールなどを備える。ここで、前記四つのモジュールは、相互に独立してもよいし、一体化してもよい。各短距離伝送システムのプロセスチップと回路は、相互に独立してもよいし、一体化してもよい。
【００５８】
前記短距離伝送システムは、短距離伝送アンテナに接続されている。この短距離伝送アンテナは、移動端末と他の移動端末が時分割又は周波数分割の通信モードで情報を伝送することを担当している。即ち、短距離伝送アンテナは、単一の移動端末と通信してもよいし、複数の移動端末と同時に通信してもよい。
【００５９】
各短距離伝送アンテナは、独立に存在してもよいし、他の短距離伝送アンテナと任意に組み合わせて一体化してもよい。一体化したアンテナは、多偏波アンテナ、多周波アンテナ、又は多偏波・周波数アンテナとしてもよい。
【００６０】
本発明は、基地局を開示する。この基地局は、ローカル移動端末が所属する基地局であり、この基地局は、データパケット統合ユニットと統合データ送信ユニットとを備える。
前記データパケット統合ユニットは、受信した同一の情報に所属するデータパケットを統合することに用いられる。
前記統合データ送信ユニットは、統合されたデータを、ターゲット移動端末が所属するターゲット基地局に送信することに用いられる。
【００６１】
本発明は、また、基地局を開示する。図５に示すように、この基地局は、ターゲット移動端末が所属する基地局であり、この基地局は、データ受信ユニットと、第２状態照会情報送信ユニットと、第２データパケット分割ユニットと、第２データパケット送信ユニットとを備える。
【００６２】
前記データ受信ユニットは、他の基地局から送信された統合データを受信することに用いられる。
前記第２状態照会情報送信ユニットは、統合データを送信する必要がある場合、自身が所属する基地局に隣接する中間移動端末に短距離伝送システムの状態照会情報を送信することに用いられる。
【００６３】
前記第２データパケット分割ユニットは、中間移動端末の短距離伝送システムからフィードバックされた、状態がアイドルであるネットワークエントリの証明のサインの数に応じて、送信されるべき情報を複数のデータパケットに分割することに用いられる。
【００６４】
前記第２データパケット送信ユニットは、各データパケットを、ターゲット移動端末に送信し、フィードバック状態がアイドルであるネットワークエントリの証明のサインに対応する中間移動端末を介してターゲット移動端末に転送することに用いられる。
【００６５】
上述した装置とシステムに基づいて、本発明は、無線データ伝送方法を開示する。図６に示すように、本発明に係る無線データ伝送方法の第一の実施例は、以下のステップを含む。
ステップ６０１において、ローカル移動端末は、情報を送信する必要がある場合、自身に隣接する中間移動端末に短距離伝送システムの状態照会情報を送信する。
【００６６】
ステップ６０２において、中間移動端末の短距離伝送システムからフィードバックされた、状態がアイドルであるネットワークエントリの証明のサインの数に応じて、送信されるべき情報を複数のデータパケットに分割する。
ここで、前記ネットワークエントリの証明のサインは、移動端末の短距離伝送システムの状態を識別するためのものであり、前記状態がアイドル状態とビジー状態を含む。
【００６７】
任意選択で、送信されるべき情報を複数のデータパケットに分割する前記ステップの前に、この方法は、さらに、ネットワークエントリの証明のサインに応じて分割されるべきデータパケットのそれぞれのサイズを確定するステップを含む。
それに応じて、送信されるべき情報を複数のデータパケットに分割する前記ステップは、確定されたデータパケットのそれぞれのサイズに応じて、送信されるべき情報を複数のデータパケットに分割することを含む。
【００６８】
任意選択で、ネットワークエントリの証明のサインに応じて分割されるべきデータパケットのそれぞれのサイズを確定する前記ステップは、送信されるべき情報のデータ量と、中間移動端末からフィードバックされた状態がアイドルであるネットワークエントリの証明のサインの数と、各ネットワークエントリの証明のサインに対応する短距離伝送システムに応用される伝送モードの伝送速度とに応じて、分割されるべきデータパケットのそれぞれのサイズを確定することを含む。
【００６９】
任意選択で、前記送信されるべき情報を複数のデータパケットに分割する前記ステップの後、この方法は、さらに、前記データパケットに番号を付けて、各データパケットにそれぞれの番号を持たせるステップを含む。
ステップ６０３において、各データパケットを、ローカル移動端末が所属するローカル基地局と、フィードバック状態がアイドルであるネットワークエントリの証明のサインに対応する中間移動端末とにそれぞれ送信する。
ステップ６０４において、各中間移動端末は、それぞれ受信したデータパケットを前記ローカル基地局に送信する。
【００７０】
任意選択で、各中間移動端末がそれぞれ受信したデータパケットを前記ローカル基地局に送信する前記ステップの後、この方法は、さらに、
各中間移動端末は、それぞれローカル移動端末に当該データパケットの番号が含まれるフィードバック情報を送信するステップと、ローカル移動端末が受信したフィードバック情報に応じてデータパケットの伝送が失敗するかどうかを判断して、データパケットの伝送が失敗した場合、ローカル移動端末が自身に隣接する中間移動端末に短距離伝送システムの状態照会情報を送信するステップと、伝送が失敗したデータパケットを、状態がアイドルであるネットワークエントリの証明のサインに対応する中間移動端末に送信するステップとを含む。
【００７１】
ステップ６０５において、ローカル基地局は、受信した同一の情報に所属するデータパケットを統合して、統合されたデータを、ターゲット移動端末が所属するターゲット基地局に送信する。
ステップ６０６において、統合データを受信したターゲット基地局は、ターゲット移動端末に隣接する中間移動端末に短距離伝送システムの状態照会情報を送信する。
【００７２】
ステップ６０７において、中間移動端末からフィードバックされた状態がアイドルであるネットワークエントリの証明のサインの数に応じて、統合されたデータを複数のデータパケットに分割する。
ステップ６０８において、各データパケットを、ターゲット移動端末と、フィードバック状態がアイドルであるネットワークエントリの証明のサインに対応する中間移動端末とにそれぞれ送信する。
【００７３】
ステップ６０９において、各中間移動端末は、それぞれ受信したデータパケットを前記ターゲット移動端末に送信する。
ステップ６１０において、ターゲット移動端末は、受信した同一の情報に所属するデータパケットを統合して、ローカル移動端末から送信された情報を得る。
【００７４】
上述した装置とシステムに基づいて、本発明は、また、無線データ伝送方法の別の実施例を開示する。本実施例において、ローカル移動端末は、受信したネットワークエントリの証明のサインに応じて、状態がアイドルである短距離伝送システムの一部を使用可能な短距離伝送システムとし、状態がアイドルである残りの短距離伝送システムを予備短距離伝送システムとする。
【００７５】
本発明に係る無線データ伝送方法の第二の実施例は、以下のステップを含む。
ステップ７０１において、ローカル移動端末は、情報を送信する必要がある場合、各中間移動端末に短距離伝送システムの状態照会情報を送信する。
ステップ７０２において、状態照会情報を受信した中間移動端末は、ローカル移動端末にネットワークエントリの証明のサインを送信する。
【００７６】
ステップ７０３において、ローカル移動端末は、受信したネットワークエントリの証明のサインに応じて、状態がアイドルである短距離伝送システムの一部を使用可能な短距離伝送システムとし、状態がアイドルである残りの短距離伝送システムを予備短距離伝送システムとする。ネットワークエントリの証明のサインに示された状態が、いずれもビジーであれば、ローカル移動端末は、既存の伝送モードでデータを所属する基地局に送信する。
【００７７】
例えば、受信したネットワークエントリの証明のサインのうち、状態がアイドルであると識別するネットワークエントリの証明のサインが３０個ある場合、状態がアイドルである２０個の短距離伝送システムを使用可能な短距離伝送システムとし、状態がアイドルである残りの１０個の短距離伝送システムを予備短距離伝送システムとする。
【００７８】
ステップ７０４において、ローカル移動端末は、使用可能な短距離伝送システムの数に応じて、送信されるべき情報を対応する数のデータパケットに分割して、前記データパケットに番号を付けて各データパケットにそれぞれの番号を持たせる。
【００７９】
仮に、使用可能な短距離伝送システムの数が２０個とすると、一つの基地局を加えて、合わせて２１個のデータパケットに分割して、各データパケットが順次１〜２１の番号に対応する。
【００８０】
任意選択で、ネットワークエントリの証明のサインに応じて、分割されるべきデータパケットのそれぞれのサイズを確定する。具体的に、送信されるべき情報のデータ量と、中間移動端末からフィードバックされた状態がアイドルであるネットワークエントリの証明のサインの数と、各ネットワークエントリの証明のサインに対応する短距離伝送システムに応用される伝送モードの伝送速度とに応じて、分割されるべきデータパケットのそれぞれのサイズを確定する。
【００８１】
例えば、ＧＳＭ（登録商標）進化型高速データレート（ＥＤＧＥ：Ｅｎｈａｎｃｅｄ  Ｄａｔａ  ｒａｔｅ  ｆｏｒ  ＧＳＭ（登録商標）  Ｅｖｏｌｕｔｉｏｎ）技術による伝送モードの理論上の最大伝送速度が３８４ｋｂｐｓであり、Ｂｌｕｅｔｏｏｔｈ（登録商標）  ＩＥＥＥ８０２．１５による伝送モードの理論上の最大伝送速度が１Ｍｂｐｓであり、Ｗｉ−Ｆｉ  ８０２．１１ｇプロトコルによる伝送モードの理論上の最大伝送速度が５４Ｍｂｐｓである。
【００８２】
ネットワークエントリの証明のサインの内容により、使用可能な短距離伝送システムのうち、Ｂｌｕｅｔｏｏｔｈ（登録商標）伝送システムが１０個あり、Ｗｉ−Ｆｉ伝送システムが１０個あることが分かる。送信されるべき情報のデータ量をＭとし、ローカル移動端末がＥＤＧＥ技術をサポートするＧＳＭ（登録商標）モードの移動端末であれば、Ｂｌｕｅｔｏｏｔｈ（登録商標）伝送システムを備える中間移動端末に送信される番号１〜１０のデータパケットのサイズがＭ＊１／（５４＊１０＋１＊１０＋０．３８４）となり、同様に、Ｗｉ−Ｆｉ伝送システムを備える中間移動端末に送信される番号１１〜２０のデータパケットのサイズがＭ＊５４／（５４＊１０＋１＊１０＋０．３８４）となり、基地局に送信する番号２１のデータパケットのサイズがＭ＊０．３８４／（５４＊１０＋１＊１０＋０．３８４））となる。
【００８３】
ステップ７０５において、ローカル移動端末は、番号の付いたデータパケットをローカル基地局と各使用可能な短距離伝送システムとにそれぞれ対応的に送信し、分割情報を基地局に送信する。
【００８４】
ここで、前記分割情報は、データパケットを分割するための分割符号化モードと、データパケットの数と、データパケットのサイズと、各データパケットに対応する番号とを含み、前記ローカル移動端末は、多入力多出力（ＭＩＭＯ）伝送モードをサポートする。
【００８５】
例えば、番号１〜１０のデータパケットがそれぞれ、使用可能な短距離伝送システムのうちのＢｌｕｅｔｏｏｔｈ（登録商標）伝送システムに送信され、番号１１〜２０のデータパケットがそれぞれ、使用可能な短距離伝送システムのうちのＷｉ−Ｆｉ伝送システムに送信され、番号２１のデータパケットが基地局に送信される。
【００８６】
ステップ７０６において、使用可能な短距離伝送システムは、受信したデータパケットをローカル基地局に送信し、当該データパケットの番号とデータパケットのサイズが含まれるフィードバック情報をローカル移動端末に送信する。
【００８７】
ステップ７０７において、ローカル移動端末は、受信したフィードバック情報に応じて、データパケットの伝送が失敗するかどうかを判断して、データパケットの伝送が失敗した場合、ステップ７１７に入り、データパケットの伝送が失敗しない場合、ステップ７０８に入る。
【００８８】
具体的には、ローカル移動端末は、設定された時間（例えば、ローカル移動端末が使用可能な短距離伝送システムにデータパケットを送信した後の５秒）内に受信したフィードバック情報に応じて、データパケットの伝送が失敗するかどうかを判断する。例えば、ローカル移動端末は、使用可能な短距離伝送システムにデータパケットを送信した後の５秒内に、合計２１個のフィードバック情報を受信したら、データパケットの伝送が失敗しないと判断する。一方で、ローカル移動端末は、５秒内に合計２０個のフィードバック情報を受信したら、データパケットの伝送が失敗したと判断する。
【００８９】
ローカル移動端末は、伝送が失敗したデータパケットを使用可能な短距離伝送システムに送信した後の５秒内に、受信したフィードバック情報の数と伝送が失敗したデータパケットの数が一致すれば、データパケットの伝送が失敗しないと判断する。一方で、ローカル移動端末は、５秒内に受信したフィードバック情報の数と伝送が失敗したデータパケットの数が一致しなければ、データパケットの伝送が失敗したと判断する。
【００９０】
ステップ７０８において、ローカル基地局は、受信した同一の情報に所属するデータパケットを統合して、統合されたデータを、ターゲット移動端末が所属するターゲット基地局に送信する。
具体的には、ローカル基地局は、分割情報に含まれている、データパケットを分割するための分割符号化モードに従って、データを復号して合併し、復元して、統合されたデータを、通信ネットワークを介してターゲット移動端末が所属するターゲット基地局に送信する。
【００９１】
ステップ７０９において、統合データを受信したターゲット基地局は、各中間移動端末に短距離伝送システムの状態照会情報を送信する。
ステップ７１０において、状態照会情報を受信した中間移動端末は、ターゲット基地局にネットワークエントリの証明のサインを送信する。
【００９２】
ステップ７１１において、ターゲット基地局は、受信したネットワークエントリの証明のサインに応じて、状態がアイドルである短距離伝送システムの一部を使用可能な短距離伝送システムとし、状態がアイドルである残りの短距離伝送システムを予備短距離伝送システムとする。ネットワークエントリの証明のサインに示された状態が、いずれもビジーであれば、ターゲット基地局は、既存の伝送モードでデータをターゲット移動端末に送信する。
【００９３】
ステップ７１２において、ターゲット基地局は、使用可能な短距離伝送システムの数に応じて、受信した統合データを対応する数のデータパケットに分割して、データパケットに番号を付ける。
ステップ７１３において、ターゲット基地局は、番号の付いたデータパケットを各使用可能な短距離伝送システムとターゲット移動端末とにそれぞれ対応的に送信し、分割情報をターゲット移動端末に送信する。
【００９４】
ここで、前記分割情報は、データパケットを分割するための分割符号化モードと、データパケットの数と、データパケットのサイズと、各データパケットに対応する番号とを含み、前記ローカル移動端末は、多入力多出力伝送モードをサポートする。
ステップ７１４において、使用可能な短距離伝送システムは、受信したデータパケットをターゲット移動端末に送信し、ターゲット基地局にフィードバック情報を送信する。
【００９５】
ここで、前記フィードバック情報は、当該データパケットの番号とデータパケットのサイズを含む。
ステップ７１５において、ターゲット基地局は、受信したフィードバック情報に応じて、データパケットの伝送が失敗するかどうかを判断して、データパケットの伝送が失敗した場合、ステップ７２０に入り、データパケットの伝送が失敗しない場合、ステップ７１６に入る。
【００９６】
具体的には、ターゲット基地局は、設定された時間（例えば、ターゲット基地局が使用可能な短距離伝送システムにデータパケットを送信した後の５秒）内に受信したフィードバック情報に応じて、データパケットの伝送が失敗するかどうかを判断する。例えば、ターゲット基地局は、使用可能な短距離伝送システムにデータパケットを送信した後の５秒内に、合計２１個のフィードバック情報を受信したら、データパケットの伝送が失敗しないと判断する。一方で、ターゲット基地局は、５秒内に合計２０個のフィードバック情報を受信したら、データパケットの伝送が失敗したと判断する。
【００９７】
ターゲット基地局は、使用可能な短距離伝送システムに伝送が失敗したデータパケットを送信した後の５秒内に、受信したフィードバック情報の数と伝送が失敗したデータパケットの数が一致すれば、データパケットの伝送が失敗しないと判断する。一方で、ローカル移動端末は、５秒内に受信したフィードバック情報の数と伝送が失敗したデータパケットの数が一致しなければ、データパケットの伝送が失敗したと判断する。
【００９８】
ステップ７１６において、ターゲット移動端末は、受信した同一の情報に所属するデータパケットを統合して、データを復元する。今回のプロセスを終了する。
ステップ７１７において、ローカル移動端末は、受信したフィードバック情報に応じて、伝送が失敗したデータパケットの番号を確定する。
【００９９】
ステップ７１８において、ローカル移動端末は、確定された伝送が失敗したデータパケットの番号の数に応じて、予備短距離伝送システムから短距離伝送システムを使用可能な短距離伝送システムとして選択する。
例えば、伝送が失敗したデータパケットの番号が１０と１１であれば、予備短距離伝送システムから１個のＢｌｕｅｔｏｏｔｈ（登録商標）伝送システムと１個のＷｉ−Ｆｉ伝送システムを使用可能な短距離伝送システムとして選択する。
【０１００】
ステップ７１９において、ローカル移動端末は、当該番号に対応するデータパケットを使用可能な短距離伝送システムに対応的に送信して、ステップ７０６に入る。
ステップ７２０において、ターゲット基地局、伝送が失敗したデータパケットの番号を確定して、当該番号に対応するデータパケットをターゲット移動端末に対応的に送信して、ステップ７１６に入る。
【０１０１】
以上は、本発明の最適的な実施例に過ぎなく、本発明の保護範囲を制限するためのものではない。例えば、上述した移動端末は、さらに、メインネットワーク通信モジュールを含んでもよい。前記メインネットワーク通信モジュールは、主に、無線周波数送受信モジュールと、無線周波数増幅モジュールと、フィルタモジュールと、マッチングモジュールと、デュプレクサモジュールとを備える。ここで、これらのモジュールは、相互に独立してもよいし、一体化してもよい。
【０１０２】
前記メインネットワーク通信モジュールは、グローバル移動体通信システム（ＧＳＭ（登録商標）：Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、時分割-同期符号分割多元接続（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ（登録商標）：Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ロング・ターム・エボリューション（ＬＴＥ：Ｌｏｎｇ  Ｔｅｒｍ  Ｅｖｏｌｕｔｉｏｎ）などの通信モードのうちの一種類または数種類をサポートすることができる。
【０１０３】
前記メインネットワーク通信モジュールは、メインアンテナに接続されている。前記メインアンテナは、移動端末と基地局が情報を伝送することを担当し、前記メインアンテナは、独立に存在してもよいし、各短距離伝送システムのアンテナと任意に組み合わせて一体化してもよい。一体化したアンテナは、多偏波アンテナ、多周波アンテナ、又は多偏波・周波数アンテナとしてもよい。
【図１】
0005961276.tif 000002
【図２】
0005961276.tif 000003
【図３】
0005961276.tif 000004
【図４】
0005961276.tif 000005
【図５】
0005961276.tif 000006
【図６】
0005961276.tif 000007